(57)【要約】【課題】簡単な構成で、複数の画像情報を表示する。【解決手段】一度画像情報を表示制御するだけで画像表示状態を継続するシート状表示部と、該シート状表示部に着脱自在に接続された画像情報の表示制御を行う表示制御手段と、前記シート状表示部に表示する画像情報を通信手段を介して取得して前記表示制御手段に供給する画像情報取得手段とを備えている。【選択図】    図１
2004318013.tif 000002
【特許請求の範囲】
【請求項１】
一度画像情報を表示制御するだけで画像表示状態を継続するシート状表示部と、該シート状表示部に着脱自在に接続された画像情報の表示制御を行う表示制御手段と、前記シート状表示部に表示する画像情報を通信手段を介して取得して前記表示制御手段に供給する画像情報取得手段とを備えたことを特徴とするシート状表示装置。
【請求項２】
前記画像情報取得手段は、近距離または広域無線通信手段を有し、該近距離または広域無線通信手段を介して外部の画像情報配信手段から画像情報を取得するように構成されていることを特徴とする請求項１に記載のシート状表示装置。
【請求項３】
前記画像情報取得手段は、前記表示制御手段に対して着脱自在に接続されていることを特徴とする請求項１又は２に記載のシート状表示装置。
【発明の詳細な説明】
【０００１】
【発明の属する技術分野】
本発明は、シート状表示部に画像情報をデータ転送して表示するシート状表示装置に関する。
【０００２】
【従来の技術】
従来のシート状表示装置としては、電子情報の受信部と、電子情報の記録部と、電子情報と制御情報を表示する表示部と、表示の駆動部と、電源部と、制御部とを具備し、デジタル放送からデータ配信された電子情報を受信し、予め設定したジャンルの電子情報のみを記録し、記録した電子情報を書き換え可能に表示するようにした表示システムが提案されている（例えば、特許文献１参照）。
【０００３】
【特許文献１】
特開２００２−３００５０６号公報（第１〜６頁、図５，図６）
【０００４】
【発明が解決しようとする課題】
しかしながら、上記特許文献１に記載された従来例にあっては、デジタル放送から送信される膨大な情報から任意の情報を抽出して表示することができるものであるが、表示部と表示制御部とが一体に形成されており、同時に複数の情報を表示したい場合には、表示及び表示制御部とを備えた表示装置を複数設ける必要があり、コストが嵩むという未解決の課題がある。
【０００５】
そこで、本発明は、上記従来例の未解決の課題に着目してなされたものであり、シート状表示部と表示制御部とを着脱自在とすることにより、異なるシート状表示部で表示する場合に、簡易な構成で複数の画像を同時に表示することができるシート状表示装置を提供すると共に、持ち運びを容易にし必要な情報をどこからでも取得することを目的としている。
【０００６】
【課題を解決するための手段】
第１の技術手段は、一度画像情報を表示制御するだけで画像表示状態を継続するシート状表示部と、該シート状表示部に着脱自在に接続された画像情報の表示制御を行う表示制御手段と、前記シート状表示部に表示する画像情報を通信手段を介して取得して前記表示制御手段に供給する画像情報取得手段とを備えたことを特徴としている。
【０００７】
この第１の技術手段では、シート状表示部とこれに対する画像情報の表示制御を行う表示制御手段とが着脱自在に接続されているので、シート状表示部を複数枚用意することで、各シート状表示部に順次表示制御手段を接続して画像情報を表示させることにより、１つの表示制御手段で、複数のシート状表示部に同時に異なる画像情報を表示することができる。
【０００８】
また、第２の技術手段は、第１の技術手段において、前記画像情報取得手段は、近距離または広域無線通信手段を有し、該近距離または広域無線通信手段を介して外部の画像情報配信手段もしくは情報蓄積装置から画像情報を取得するように構成されていることを特徴としている。
この第２の技術手段では、近距離または広域無線通信手段を介して外部の画像情報配信手段もしくは情報蓄積装置から画像情報を取得するので、デジタル放送を受信する受信設備等を設けることなく外部の配信手段から容易に画像情報を入手することができ、全体のシステムが大型化することを回避することができる。
【０００９】
さらに、第３の技術手段は、第１又は第２の技術手段において、前記画像情報取得手段は、前記表示制御手段に対して着脱自在に接続されていることを特徴としている。
この第３の技術手段では、表示制御手段に対して画像情報取得手段が着脱自在に接続されているので、表示制御手段に対して異なる構成を有する画像情報取得手段を着脱することが可能となり、任意の構成を有する画像情報取得手段を適用することができる。
【００１０】
さらにまた、第４の技術手段は、第１乃至第３の何れかの技術手段において、前記シート状表示部は、正孔輸送層と有機物の発光層と電子輸送層とからなる有機エレクトロルミネッセンス素子層を、第１電極を有する第１基体シートの第１電極面と第２電極を有する第２基体シートの第２電極面との間に配置し、第１電極及び第２電極から電界をマトリクス印加することで、前記発光層を発光させて画像表示するように構成されていることを特徴としている。
【００１１】
この第４の技術手段では、シート状表示部を有機エレクトロルミネッセンス素子で構成することにより、可撓性を有すると共に、表示制御手段で画像情報を表示した後に表示制御手段を取り外しても画像情報を表示し続けることになり、複数のシート状表示部で異なる画像情報を同時に表示することができる。
【００１２】
【発明の実施の形態】
以下、本発明の実施の形態を図面に基づいて説明する。
図１は、本発明の一実施形態を示すシステム構成図であって、図中、１はシート状表示装置であり、画像情報を表示するシート状表示部２と、このシート状表示部２に画像情報を表示する表示制御を行う表示制御手段としての表示制御部３と、この表示制御部３に固定接続された画像情報を供給する画像情報取得手段としての画像情報取得部４とで構成されている。
【００１３】
ここで、シート状表示部２は、有機エレクトロルミネッセンス方式の電子ペーパーで構成され、図２に示すように、第１基体シート２ａと、この第１基体シート２ａ上に第１電極２ｂを介して配置された上から順に積層された正孔輸送層２ｃ、有機物の発光層２ｄ及び電子輸送層２ｅを有する有機エレクトロルミネッセンス素子層２ｆと、この有機エレクトロルミネッセンス素子層２ｆの正孔輸送層２ｃ上に配置された下面に第２電極２ｇを形成した第２基体シート２ｈとで構成されている。
【００１４】
ここで、第１電極２ｂ及び第２電極２ｇには、図３に示すように、所定間隔で例えば陰極となるアドレスラインＸ１〜Ｘｎ及び陽極となるアドレスラインＹ１〜Ｙｍが形成され、これらアドレスラインＸ１〜Ｘｎ及びＹ１〜Ｙｍに同期をとって順次走査するように画像情報を送ることにより、両アドレスラインの交点のノードに電界が発生させることで、有機エレクトロルミネッセンス素子層２ｆのノードに対応する位置で発光させる。
【００１５】
そして、第１電極２ｂ及び第２電極２ｇの各アドレスラインＸ１〜Ｘｎ及びＹ１〜Ｙｍが外部接続コネクタ２ｉに接続されている。
また、表示制御部３は、シート状表示部２の外部接続コネクタ２ｉに接続可能な接続コネクタ３ａを有し、アドレスラインＸ１〜Ｘｎを一定時間間隔で走査駆動し、この一定時間内にアドレスラインＹ１〜Ｙｍを駆動して、画像情報に応じたノードを発光させることにより、シート状表示部２に画像情報を表示させる表示制御を行う。
【００１６】
さらに、画像情報取得部４は、取得した画像情報を記憶する記憶部４ａと、外部との無線通信によって画像情報を取得する近距離または広域無線通信モジュール４ｂとを有する。この近距離または広域無線通信モジュール４ａは、例えば２．４ＧＨｚのＩＳＭ（Ｉｎｄｕｓｔｒｉａｌ  Ｓｃｉｅｎｔｉｆｉｃ  Ｍｅｄｉｃａｌ）帯を搬送波周波数に使用して、半径１０ｍ〜１５ｍ程度の範囲内における他のアクセスポイントとなる近距離または広域無線通信モジュール５が形成する小規模無線ネットワークに参加して、情報の送受信を行うことができる例えば送信回路及び受信回路を有するＲＦ部を備えた構成を有する。
【００１７】
アクセスポイントとなる近距離または広域無線通信モジュール５は、家庭内、街角、喫茶店等の任意の場所に設置され、この近距離または広域無線通信モジュール５に情報配信装置６から画像情報が配信される。この情報配信装置６は、デジタル放送を受信したり、インターネットを利用してコンテンツ配信サーバにアクセスしたり、パーソナルコンピュータ等の情報処理端末で作成された画像情報を入力したりして必要な画像情報を取得可能に構成されている。
【００１８】
次に、上記実施形態の動作を説明する。
先ず、所望枚数のシート状表示部２Ａ〜２ｋ（ｋは任意の整数）を用意し、そのうちの１枚のシート状表示部２Ａの外部接続コネクタ２ｉに表示制御部３の接続コネクタ３ａを接続する。こ状態で、画像情報取得部４の近距離または広域無線通信モジュール４ａを介して外部のアクセスポイントとなる近距離または広域無線通信モジュール５をアクセスし、この近距離無線通信モジュール５に情報配信装置６から配信されている画像情報を取得し、取得した画像情報を記憶部４ａに記憶する。この場合、記憶部４ａに記憶する画像情報は、１枚のシート状表示部２で表示可能な画像情報を記憶する場合に限らず、複数枚のシート状表示部２で表示可能な画像情報を同時に記憶するようにしてもよい。
【００１９】
そして、記憶部４ａに記憶された画像情報のうち１枚のシート情報表示部２Ａで表示可能な画像情報を表示制御部３に供給することにより、この表示制御部３で、画像情報に応じてシート状表示部２ＡのアドレスラインＸ１〜Ｘｎ及びＹ１〜Ｙｍを駆動することにより、画像情報を表示するために必要なノードで電界を発生させて有機エレクトロルミネッセンス素子層２ｆのノード対応位置を点発光させることにより、画像情報が表示される。
【００２０】
このように、１枚目のシート状表示部２Ａに対する画像情報の表示が完了すると、表示制御部３の接続コネクタ３ａをシート状表示部２Ａの外部接続コネクタ２ｉから取り外す。この外部接続コネクタ２ｉから接続コネクタ３ａを取り外すことにより、有機エレクトロルミネッセンス素子層２ｆに対する電界の印加が停止されるが、有機エレクトロルミネッセンス素子層２ｆでの発光状態は継続されるので、表示された画像情報は消えることなく表示状態が維持される。
【００２１】
この状態で、表示制御部３の接続コネクタ３ａを他のシート状表示部２Ｂの外部接続コネクタ２ｉに接続して、この表示制御部３に対して画像取得部４の記憶部４ａに記憶された他の画像情報を供給することにより、この画像情報がシート状表示部２Ｂに表示される。
このようにして、順次他のシート状表示部２Ｃ以降についても異なる画像情報を表示させることにより、各シート状表示部２Ａ〜２ｋで同時に異なる画像情報を表示することができ、これら各シート状表示部２Ａ〜２ｋに表示された画像情報を見比べながら表示された画像情報を把握することができる。しかも、画像情報が表示されたシート状表示部２Ａ〜２ｋの置き場所は限定されないので、画像情報を見比べる場合に、任意のシート状表示部同士を隣接させて配置することにより、容易に見比べることができ、あたかも印刷物を読むような感覚で画像情報を視認することができる。
【００２２】
このとき、表示制御部３及び画像取得部４は１つだけ設ければ、複数のシート状表示部２Ａ〜２ｋに画像情報を表示させることができるので、従来のように、表示制御部３がシート状表示部２に固定されている場合に比較して、購入コストを抑制することができる。
また、シート状表示部２と表示制御部３及び画像取得部４とは切り離しが可能であると共に、シート状表示部２は筒状に丸めたり、所定幅で折り返えしたりすることができるので、携帯が容易であり、家庭内で使用する場合の外、外出したときに外部のアクセスポイントの近距離または広域無線通信モジュール５が形成する小規模無線ネットワークに参加するだけで、必要な情報を取得して、シート状表示部２に表示することができ、本や新聞を購入することなく、シート状表示装置１で必要な画像情報を容易に取得することができる。
【００２３】
次に、本発明の第２の実施形態を図４について説明する。
この第２の実施形態では、表示制御部３に対して情報取得部４を着脱可能に構成したものである。
すなわち、第２の実施形態では、図２に示すように、表示制御部３及び情報取得部４間を着脱自在に構成し、情報取得部４として上述した第１の実施形態のように近距離または広域無線通信モジュール４ｂを有する近距離または広域無線通信機４Ａと、入力キー１２、液晶表示部１３、マイク１４及びスピーカ１５を有する携帯電話機４Ｂとの２種類を適用し、近距離または広域無線通信機４Ａについては直接表示制御部３に着脱可能に構成し、携帯電話機４Ｂについては接続アダプタ１１を介して接続可能に構成されていることを除いては図１と同様の構成を有し、図１との対応部分には同一符号を付し、その詳細説明はこれを省略する。
【００２４】
この第２の実施形態によると、表示制御部３に近距離または広域無線通信機４Ａを接続した場合には、上述した第１の実施形態と同様の作用効果が得られるが、携帯電話機４Ｂを接続した場合には、携帯電話機４Ｂで着信した電子メールやインターネットを介して取得した画像情報等を表示制御部３に供給することにより、シート上表示部２の大きな表示画面で表示することが可能となり、着信した電子メールを友人やその他の人々に公開したい場合に、これを容易に行うことができる。
【００２５】
この他、情報取得部４としてデジタルカメラやノート型パーソナルコンピュータを適用して、これらを接続可能に構成することにより、デジタルカメラで撮影した画像データをシート状表示部２で拡大表示したり、ノート型パーソナルコンピュータに格納されているプレゼンテーションデータ等をシート状表示部２で表示したりすることができ、表示設備がない会議室などで会議を行う場合に画像情報を容易に表示することができる。
【００２６】
なお、上記第１及び第２の実施形態においては、有機エレクトロルミネッセンス方式のシートシート状表示部２を適用した場合について説明したが、これに限定されるものではなく、例えば特開平１１−５２４３４号公報に開示されているように、表面が相対的に正負に帯電し、且つ全体として正及び負の正味電荷を有し、前記表面に複数の色を表示する複数の表示領域が形成された複数の表示素子と、この複数の表示素子を透光性液体中に浮遊させて二次元状に配列した透明のシート状支持体を備えた、無電源画像保持性を有するシート状表示媒体を適用することもでき、その他任意の構成のシート状表示部を適用することができる。
【００２７】
また、上記各実施形態においては、近距離無線モジュール４ｂ及び５が電波を使用して無線通信を行う場合について説明したが、これに限定されるものではなく、赤外線等を使用した光通信を行うようにしてもよい。
また、上記各実施形態においては、シート状表示部２及び表示制御部３をコネクタで接続する場合について説明したが、これに限定されるものではなく、シート状表示部２と表示制御部３とを電波や光を利用した近距離または広域無線通信手段で無線接続するようにしてもよい。
【図面の簡単な説明】
【図１】本発明の第１の実施形態を示すシステム構成図である。
【図２】シート状表示部の断面図である。
【図３】シート状表示部の電極構造を示す図である。
【図４】本発明の第２の実施形態を示すシステム構成図である。
【符号の説明】
１…シート状表示装置、２…シート状表示部、２ａ…第１基体シート、２ｂ…第１電極、２ｃ…正孔層、２ｄ…発光層、２ｅ…電子輸送層、２ｆ…有機エレクトロルミネッセンス素子層、２ｇ…第２電極、２ｈ…第２基体シート、２ｉ…外部接続コネクタ、３…表示制御部、３ａ…接続コネクタ、４…情報取得部、４ａ…記憶部、４ｂ…近距離無線通信モジュール、５…近距離または広域無線通信モジュール、６…情報配信装置、４Ａ…近距離無線通信機、４Ｂ…携帯電話機、１１…アダプタ
【図１】
2004318013.tif 000003
【図２】
2004318013.tif 000004
【図３】
2004318013.tif 000005
【図４】
2004318013.tif 000006